(57)【要約】【課題】歯の表面や隙間を効果的に刷掃する効果を保持しつつ、凹凸の大きい部分の歯の隙間も効果的に刷掃することのできる歯ブラシを提供する。【解決手段】植毛台１１は、中間部植毛領域１７ｂと、先端側の先端側植毛領域１７ａと、後端側の後端側植毛領域１７ｃとを備えている。先端側植毛領域１７ａには、複数本のテーパーブリッスル１６ａを束ねてなる、複数束のテーパー毛束１５ａのみによる先端部テーパー毛束群１８ａが植設されている。中間部植毛領域１７ｂ及び後端側植毛領域１７ｃには、複数本のテーパーブリッスル１６ａを束ねてなる複数束のテーパー毛束１５ａが植設されており、且つ中間部植毛領域１７ｂには、テーパー形状部分を備えていない複数本の非テーパーブリッスル１６ｂを束ねてなる複数束の非テーパー毛束１５ｂが、テーパー毛束１５ａと混在して植設されている。【選択図】図１
2020198989.tif 000002
【特許請求の範囲】
【請求項１】
複数本のブリッスルを束ねてなる毛束が、植毛台に形成された複数の植毛穴に各々植設されている歯ブラシであって、
前記植毛台は、長手方向中間部分の中間部植毛領域と、該中間部植毛領域よりも長手方向先端側の先端側植毛領域と、該中間部植毛領域よりも長手方向後端側の後端側植毛領域とを備えており、
前記先端側植毛領域には、先端に向かって断面積を減少させたテーパー形状部分を備える複数本のテーパーブリッスルを束ねてなる、複数束のテーパー毛束のみによる先端部テーパー毛束群が植設されており、
前記中間部植毛領域及び前記後端側植毛領域には、先端に向かって断面積を減少させたテーパー形状部分を備える複数本のテーパーブリッスルを束ねてなる複数束のテーパー毛束が植設されており、且つ少なくとも前記中間部植毛領域には、先端に向かって断面積を減少させたテーパー形状部分を備えていない複数本の非テーパーブリッスルを束ねてなる複数束の非テーパー毛束が、前記テーパー毛束と混在して植設されている歯ブラシ。
【請求項２】
前記中間部植毛領域及び前記後端側植毛領域における少なくとも前記中間部植毛領域を含む、前記テーパー毛束と前記非テーパー毛束とが混在する部分では、前記非テーパー毛束を形成する非テーパーブリッスルの毛丈が、前記テーパー毛束を形成するテーパーブリッスルの毛丈よりも低くなっている請求項１記載の歯ブラシ。
【請求項３】
前記中間部植毛領域及び前記後端側植毛領における少なくとも前記中間部植毛領域を含む、前記テーパー毛束と前記非テーパー毛束とが混在する部分では、複数の前記非テーパー毛束が、一又は複数の前記テーパー毛束の周囲を囲むようにして隣接して配置されている請求項１又は２記載の歯ブラシ。
【請求項４】
前記先端部テーパー毛束群の前記テーパー毛束を形成するテーパーブリッスルの毛丈が、前記テーパー毛束と前記非テーパー毛束とが混在する部分における前記非テーパー毛束を形成する非テーパーブリッスルの毛丈よりも、高くなっている請求項１〜３のいずれか１項記載の歯ブラシ。
【請求項５】
前記後端側植毛領域には、先端に向かって断面積を減少させたテーパー形状部分を備える複数本のテーパーブリッスルを束ねてなる、複数束のテーパー毛束のみによる後端部テーパー毛束群が植設されている請求項１〜４のいずれか１項記載の歯ブラシ。
【請求項６】
前記後端部テーパー毛束群の前記テーパー毛束を形成するテーパーブリッスルの毛丈が、前記テーパー毛束と前記非テーパー毛束とが混在する部分における前記非テーパー毛束を形成する非テーパーブリッスルの毛丈よりも、高くなっている請求項５記載の歯ブラシ。
【発明の詳細な説明】
【技術分野】
【０００１】
本発明は、歯ブラシに関し、特に、複数本のブリッスルを束ねてなる毛束が、植毛台に形成された複数の植毛穴に各々植設されている歯ブラシに関する。
【背景技術】
【０００２】
歯ブラシは、複数本のブリッスルを束ねてなるタフト（毛束）を、例えば植毛台の植毛面に形成された複数の植毛穴に、平線を打ち込む方法や熱で融着させる方法等によって植設固定することにより形成される。また、歯ブラシは、前歯、奥歯等の歯の種類や、歯間部、歯面部、歯頸部、歯裏部等の歯の部位に応じた適切な刷掃を効率良く行って、歯垢等を効果的に除去できるように、また刷掃時に良好な感触が得られるように、毛束の配置やブリッスルの毛先の形状等に様々な工夫がなされている。
【０００３】
例えば、先端部が先細のテーパー形状部分となっているテーパーブリッスルを束ねて形成されたテーパー毛束において、撓み易くなっているテーパーブリッスルのテーパー形状部分が撓み過ぎるのを抑制して、先細の毛先部分を凹凸溝に入り込み易くすることで、歯の表面の細かい凹凸溝に溜まった汚れを効果的に除去できるようにした歯ブラシが開示されている（例えば、特許文献１参照）。特許文献１の歯ブラシでは、テーパーブリッスルを束ねて形成されたテーパー毛束と、先端部がテーパー形状部分となっていないブリッスルを束ねて形成された非テーパー毛束による支持毛束とを混在させると共に、テーパー毛束の周囲に支持毛束を隣接配置して植設することで、テーパー毛束のテーパーブリッスルが撓み過ぎるのを周囲の支持毛束により抑制して、歯の表面の細かい凹凸溝や歯の隙間を効果的に刷掃できるようになっている。
【先行技術文献】
【特許文献】
【０００４】
【特許文献１】特開２０１６−１９８３８８号公報
【発明の概要】
【発明が解決しようとする課題】
【０００５】
引用文献１の歯ブラシによれば、テーパー毛束を形成するテーパーブリッスルのテーパー形状部分が撓むのを抑制して、歯の表面の細かい凹凸溝や歯の隙間を効果的に刷掃することが可能になるが、例えば歯並びが悪く凹凸の大きい部分の歯の隙間に、毛先を届かせることは困難である。このようなことから、歯の表面や隙間を効果的に刷掃する効果を保持しつつ、例えば歯並びが悪く凹凸の大きい部分の歯の隙間にも毛先を容易に届かせて、凹凸の大きい部分の歯の隙間も効果的に刷掃することを可能にする歯ブラシの開発が望まれている。
【０００６】
本発明は、歯の表面や隙間を効果的に刷掃する効果を保持しつつ、凹凸の大きい部分の歯の隙間も効果的に刷掃することのできる歯ブラシに関する。
【課題を解決するための手段】
【０００７】
本発明は、複数本のブリッスルを束ねてなる毛束が、植毛台に形成された複数の植毛穴に各々植設されている歯ブラシであって、前記植毛台は、長手方向中間部分の中間部植毛領域と、該中間部植毛領域よりも長手方向先端側の先端側植毛領域と、該中間部植毛領域よりも長手方向後端側の後端側植毛領域とを備えており、前記先端側植毛領域には、先端に向かって断面積を減少させたテーパー形状部分を備える複数本のテーパーブリッスルを束ねてなる、複数束のテーパー毛束のみによる先端部テーパー毛束群が植設されており、前記中間部植毛領域及び前記後端側植毛領域には、先端に向かって断面積を減少させたテーパー形状部分を備える複数本のテーパーブリッスルを束ねてなる複数束のテーパー毛束が植設されており、且つ少なくとも前記中間部植毛領域には、先端に向かって断面積を減少させたテーパー形状部分を備えていない複数本の非テーパーブリッスルを束ねてなる複数束の非テーパー毛束が、前記テーパー毛束と混在して植設されている歯ブラシである。
【発明の効果】
【０００８】
本発明の歯ブラシによれば、歯の表面や隙間を効果的に刷掃する効果を保持しつつ、凹凸の大きい部分の歯の隙間も効果的に刷掃することができる。
【図面の簡単な説明】
【０００９】
【図１】（ａ）は、本発明の好ましい一実施形態に係る歯ブラシの要部の構成を説明する略示側面図、（ｂ）は略示平面図、（ｃ）は、本発明の好ましい一実施形態に係る歯ブラシの側面図である。
【図２】本発明の好ましい他の実施形態に係る歯ブラシの要部の構成を説明する、（ａ）は略示側面図、（ｂ）は略示平面図である。
【図３】（ａ）、（ｂ）は、本発明の歯ブラシの他の形態を例示する略示平面図である。
【図４】（ａ）〜（ｄ）は、本発明の歯ブラシの他の形態を例示する略示平面図である。
【発明を実施するための形態】
【００１０】
本発明の好ましい一実施形態に係る歯ブラシ１０は、図１（ａ）〜（ｃ）に示すように、把持部１３ａと植毛台１１とこれらを連結する首部１２とからなる歯ブラシ本体１３の植毛台１１に形成された複数の植毛穴１４ａ，１４ｂ（図１（ｂ）参照）に、複数本のブリッスル１６ａ，１６ｂを束ねてなる毛束（タフト）１５ａ，１５ｂ（図１（ａ）参照）を、各々植設（植毛）することによって構成される。本実施形態の歯ブラシ１０は、歯の表面や隙間を効果的に刷掃する機能を保持しつつ、例えば歯並びが悪く凹凸の大きい部分の歯の隙間にも毛先を容易に届かせて、このような凹凸の大きい部分の歯の隙間も効果的に刷掃できるようにする機能を備えている。
【００１１】
そして、本実施形態の歯ブラシ１０は、複数本のブリッスル１６ａ，１６ｂを束ねてなる毛束１５ａ，１５ｂが、植毛台１１に形成された複数の植毛穴１４ａ，１４ｂに各々植設されている歯ブラシであって、植毛台１１は、図１（ｂ）に示すように、長手方向Ｘ中間部分の中間部植毛領域１７ｂと、中間部植毛領域１７ｂよりも長手方向Ｘ先端側の先端側植毛領域１７ａと、中間部植毛領域１７ｂよりも長手方向Ｘ後端側の後端側植毛領域１７ｃとを備えている。先端側植毛領域１７ａには、先端に向かって断面積を減少させたテーパー形状部分を備える複数本のテーパーブリッスル１６ａを束ねてなる、複数束のテーパー毛束１５ａ（２重丸参照）のみによる先端部テーパー毛束群１８ａが植設されている。中間部植毛領域１７ｂ及び後端側植毛領域１７ｃには、先端に向かって断面積を減少させたテーパー形状部分を備える複数本のテーパーブリッスル１６ａを束ねてなる複数束のテーパー毛束１５ａが植設されており、且つ少なくとも中間部植毛領域１７ｂには、先端に向かって断面積を減少させたテーパー形状部分を備えていない複数本の非テーパーブリッスル１６ｂを束ねてなる複数束の非テーパー毛束１５ｂ（白丸参照）が、テーパー毛束１５ａと混在して植設されている。
【００１２】
ここで、中間部植毛領域１７ｂは、植毛台１１の植毛面１１ａによる植毛領域を植毛台１１の長手方向Ｘに３つの領域に分けた際の、植毛領域の中間部分に位置する領域であり、先端側植毛領域１７ａは、中間部植毛領域１７ｂの先端側に隣接する領域であり、後端側植毛領域１７ｃは、中間部植毛領域１７ｂの後端側に隣接する領域である。
【００１３】
また、本実施形態では、中間部植毛領域１７ｂ及び後端側植毛領域１７ｃにおける少なくとも中間部植毛領域１７ｂを含む、テーパー毛束１５ａと非テーパー毛束１５ｂとが混在する部分（本実施形態では中間部植毛領域１７ｂ）では、図１（ａ）に示すように、非テーパー毛束１５ｂを形成する非テーパーブリッスル１６ｂの毛丈が、テーパー毛束１５ａを形成するテーパーブリッスル１６ａの毛丈よりも低くなっている。
【００１４】
さらに、本実施形態では、中間部植毛領域１７ｂ及び後端側植毛領域１７ｃにおける少なくとも中間部植毛領域１７ｂを含む、テーパー毛束１５ａと非テーパー毛束１５ｂとが混在する部分（本実施形態では中間部植毛領域１７ｂ）では、複数の非テーパー毛束１５ｂが、一又は複数のテーパー毛束１５ａの周囲を囲むようにして隣接して配置されている。
【００１５】
本実施形態では、歯ブラシ本体１３は、一般的に使用されている合成樹脂を、特に制限無く用いて形成することができる。例えば、ポリプロピレン、ポリアセタール樹脂、ポリスチレン樹脂、ポリエチレンテレフタレート樹脂、アクリロニトリルブタジエンスチレン樹脂、セルロースプロピオネート樹脂、ポリアリレート樹脂、ポリカーボネート樹脂、アクリロニトリルスチレン樹脂、ポリエステル、ポリブチレンテレフタレート、ポリトリメチレンテレフタレート、ポリシクロヘキサンジメチレンテレフタレートから選ばれる一種又は二種以上の樹脂を用いることが好ましい。歯ブラシ本体１３の先端部分を構成する植毛台１１は、好ましくは平坦なトラック円形状の植毛面１１ａを備えており、植毛面１１ａに開口して、毛束１５ａ，１５ｂが植設される複数の植毛穴１４ａ，１４ｂが形成されている。
【００１６】
また、本実施形態では、歯ブラシ本体１３は、図１（ｃ）に示すように、植毛台１１の植毛面１１ａが、好ましくは把持部１３ａとの間に斜めに延設する首部１２を介在させて、把持部１３ａの中心軸と平行に延設するように形成されている。歯ブラシ本体１３の首部１２は、例えば５０〜７０ｍｍ程度の、相当の長さを有するように形成されていることが好ましい。
【００１７】
本実施形態では、植毛台１１のトラック円形状の植毛面１１ａの先端側植毛領域１７ａには、植毛台１１の長手方向Ｘに複数連設して、テーパー毛束１５ａが植設される、例えばφ１．４ｍｍの大きさの円形のテーパー植毛穴１４ａが、長手方向Ｘと垂直な横幅方向Ｙに５列に配置されて形成されている。先端側植毛領域１７ａに形成された５列のテーパー植毛穴１４ａのうち、両外側に配置される各１列には、テーパー植毛穴１４ａが植毛台１１の長手方向Ｘに沿って２箇所ずつ連設して形成されている。これらの両外側の各１列のテーパー植毛穴１４ａの間の部分に配置される３列には、テーパー植毛穴１４ａが、植毛台１１の長手方向Ｘに沿って各々３箇所ずつ形成されている。先端側植毛領域１７ａに形成される５列のテーパー植毛穴１４ａは、植毛台１１の長手方向Ｘに半ピッチずつ位置をずらせて、千鳥状に配置されると共に、中央の列の長手方向Ｘ先端のテーパー植毛穴１４ａが、先端側に突出して配置されるように形成されている。
【００１８】
本実施形態では、植毛台１１のトラック円形状の植毛面１１ａにおける、先端側植毛領域１７ａの後端側に隣接する中間部植毛領域１７ｂには、テーパー毛束１５ａが植設される、例えばφ１．４ｍｍの大きさの円形のテーパー植毛穴１４ａと、非テーパー毛束１５ｂが植設される、例えばφ１．４ｍｍの大きさの円形の非テーパー植毛穴１４ａとが、混在して形成されている。すなわち、中間部植毛領域１７ｂには、植毛台１１の長手方向Ｘに複数連設して、植毛穴１４ａ，１４ｂが長手方向Ｘと垂直な横幅方向Ｙに５列に配置されて形成されている。これらの５列の植毛穴１４ａ、１４ｂは、先端側植毛領域１７ａの５列のテーパー植毛穴１４ａと、植毛台１１の長手方向Ｘに各々連設して設けられている。中間部植毛領域１７ｂに形成された５列の植毛穴１４ａ，１４ｂのうち、両外側に配置される各１列には、植毛穴１４ａ，１４ｂが植毛台１１の長手方向Ｘに沿って３箇所ずつ連設して形成されており、連設方向の中央のものがテーパー植毛穴１４ａとなっており、他の２箇所のものが非テーパー植毛穴１４ｂとなっている。両外側の各１列のテーパー植毛穴１４ａの内側に各々隣接する各１列には、非テーパー植毛穴１４ｂが植毛台１１の長手方向Ｘに沿って各々２箇所ずつ形成されている。５列の植毛穴１４ａ，１４ｂのうち中央の１列には、植毛穴１４ａ，１４ｂが植毛台１１の長手方向Ｘに沿って３箇所ずつ連設して形成されており、連設方向の中央のものがテーパー植毛穴１４ａとなっており、他の２箇所のものが非テーパー植毛穴１４ｂとなっている。これらの中間部植毛領域１７ｂに形成される５列のテーパー植毛穴１４ａもまた、先端側植毛領域１７ａの５列のテーパー植毛穴１４ａと同様に、植毛台１１の長手方向Ｘに半ピッチずつ位置をずらせて、千鳥状に配置されるように形成されている。また、本実施形態では、複数（本実施形態では、６箇所）の非テーパー植毛穴１４ｂが、一又は複数（本実施形態では中央の列の１箇所）のテーパー植毛穴１４ａの周囲を囲むようにして隣接して配置されている。
【００１９】
本実施形態では、植毛台１１のトラック円形状の植毛面１１ａにおける、中間部植毛領域１７ｂの後端側に隣接する後端側植毛領域１７ｃは、植毛台１１の長手方向Ｘに複数連設して、テーパー毛束１５ａが植設される、例えばφ１．４ｍｍの大きさの円形のテーパー植毛穴１４ａが、長手方向Ｘと垂直な横幅方向Ｙに５列に配置されて形成されている。これらの５列のテーパー植毛穴１４ａもまた、先端側植毛領域１７ａ及び中間部植毛領域１７ｂの植毛穴１４ａ，１４ｂと、植毛台１１の長手方向Ｘに各々連設して設けられている。後端側植毛領域１７ａに形成された５列のテーパー植毛穴１４ａのうち、両外側に配置される各１列には、テーパー植毛穴１４ａが植毛台１１の長手方向Ｘに沿って２箇所ずつ連設して形成されている。両外側の各１列のテーパー植毛穴１４ａの内側に各々隣接する各１列には、テーパー植毛穴１４ａが植毛台１１の長手方向Ｘに沿って各々３箇所ずつ連設して形成されている。中央の１列には、テーパー植毛穴１４ａが植毛台１１の長手方向Ｘに沿って２箇所に連設して形成されている。これらの後端側植毛領域１７ｂに形成される５列のテーパー植毛穴１４ａもまた、植毛台１１の長手方向Ｘに半ピッチずつ位置をずらせて、千鳥状に配置されるように形成されている。
【００２０】
本実施形態では、これらの先端側植毛領域１７ａ、中間部植毛領域１７ｂ、及び後端側植毛領域１７ｃにおいて、植毛台１１の横幅方向Ｙに５列に形成された植毛穴１４ａ，１４ｂは、各隣接する列の間の横幅方向Ｙの中心間間隔が３〜５ｍｍ、各列において長手方向Ｘに隣接する植毛穴１４ａ，１４ｂの間の中心間間隔が２〜４ｍｍとなるように配置されて、植毛台１１の全体に分散して形成されている。
【００２１】
また、本実施形態では、植毛台１１は、好ましくは長手方向Ｘと垂直な横幅方向Ｙの最大幅が、９〜１２ｍｍとなるように形成されている。植毛台１１ａにおける長手方向Ｘと垂直な横幅方向Ｙの最大幅が、９〜１２ｍｍとなっていることにより、凹凸の大きい部分の歯を縦磨きにより刷掃する際に、歯１本の大きさをおおよそカバーして、効率良く刷掃することが可能になる。
【００２２】
そして、本実施形態では、これらの植毛穴１４ａ，１４ｂには、各々の植毛穴１４ａ，１４ｂの横断面積に応じた本数のブリッスル１６ａ，１６ｂを束ねてなる毛束１５ａ，１５ｂが、各々挿入固定されて植設されている。各々の毛束１５ａ，１５ｂを構成するブリッスル１６ａ，１６ｂは、好ましくは合成樹脂からなる。ブリッスル１６ａ，１６ｂを形成する合成樹脂としては、ブリッスルに用いられている公知の各種のものを、特に制限なく用いることができ、例えば、ナイロン（登録商標）、ナイロン６−１２等のポリアミド、ポリブチレンテレフタレート等のポリエステル、ポリオレフィン等が挙げられる。
【００２３】
各々の植毛穴１４ａ，１４ｂに毛束１５ａ，１５ｂを植設する方法としては、公知の各種の植毛方法を採用することができる。例えば、（１）毛束を平線で２つ折りにして打ち込む方法や、（２）毛束の片端部を加熱して溶融塊を形成した後、その溶融塊を配置した金型内に溶融樹脂を注入して植毛台を射出形成する方法、（３）植毛孔（貫通孔）を有する植毛基部の該植毛孔に毛束を挿入する挿入工程、該植毛孔から突出する毛束の片端部を加熱して溶融塊を形成する熱加工工程、及び該溶融塊を被覆する被覆工程を経て、毛束が植設された状態の植毛台や歯ブラシを得る方法等を用いることができる。
【００２４】
毛束１５ａ，１５ｂの植毛穴１４ａ，１４ｂへの充填率（ブリッスルの横断面積の合計／植毛穴の横断面積）は、６０〜９０％となっていることが好ましく、６５〜９０％となっていることがさらに好ましい。
【００２５】
本実施形態では、先端側植毛領域１７ａに形成された１３箇所のテーパー植毛穴１４ａには、例えばポリブチレンテレフタレートからなる、根本部における毛径が０．１８ｍｍの太さの４４本のテーパーブリッスル１６ａを束ねて形成されるテーパー毛束１５ａが、例えば９．５ｍｍの毛丈となるように各々植設されていて、先端部テーパー毛束群１８ａを形成している。これによって先端側植毛領域１７ａの先端部テーパー毛束群１８ａのテーパー毛束１５ａを形成するテーパーブリッスル１６ａの毛丈は、好ましくは後述する中間部植毛領域１７ｂの非テーパー毛束１５ｂを形成する非テーパーブリッスル１６ｂの毛丈よりも、好ましくは１．０〜２．５ｍｍ高くなっている。先端部テーパー毛束群１８ａを構成する５列のテーパー毛束１５ａは、各列において植毛台１１ａの長手方向Ｘに沿って連設して植設されている。
【００２６】
本実施形態では、中間部植毛領域１７ａに形成された１３箇所の植毛穴１４ａ，１４ｂのうち、３箇所のテーパー植毛穴１４ａには、例えばポリブチレンテレフタレートからなる、毛径が０．１８ｍｍの太さの４４本のテーパーブリッスル１６ａを束ねて形成されるテーパー毛束１５ａが、例えば９．５ｍｍの毛丈となるように各々植設されており、残りの１０箇所の非テーパー植毛穴１４ｂには、毛径が０．１８ｍｍの太さの４４本の非テーパーブリッスル１６ｂを束ねて形成される非テーパー毛束１５ｂが、例えば８ｍｍの毛丈となるように各々植設されている。３箇所のテーパー植毛穴１４ａに植設されたテーパー毛束１５ａと、１０箇所の非テーパー植毛穴１４ｂに植設された非テーパー毛束１５ｂとによって、中間部植毛領域１７ｂの中間部毛束群１８ｂが形成されている。またこれによって、好ましくは中間部植毛領域１７ｂの中間部テーパー毛束群１８ｂの非テーパー毛束１５ｂを形成する非テーパーブリッスル１６ｂの毛丈が、テーパー毛束１５ａを形成するテーパーブリッスル１６ａの毛丈よりも、好ましくは１．０〜２．５ｍｍ低くなっている。非テーパー毛束１５ｂを構成する、先端に向かって断面積を減少させたテーパー形状部分を備えていない非テーパーブリッスル１６ｂは、先端の毛先部分を、例えばラウンド形状等に形成することができる他、好ましくは先端に球状部を備えるように形成することもできる。非テーパーブリッスル１６ｂを、先端に球状部を備えるように形成することにより、テーパーブリッスル１６ａをより安定して支持することが可能になると共に、歯の平滑部の歯垢を効率良く掻き取ることが可能になる。
【００２７】
また、本実施形態では、テーパー毛束１５ａと非テーパー毛束１５ｂとが混在する部分である中間部植毛領域１７ｂに、一又は複数（本実施形態では中央の列の中央の１箇所）のテーパー植毛穴１４ａの周囲を囲むようにして隣接して、複数（本実施形態では、６箇所）の非テーパー植毛穴１４ｂが配置されており、これらの植毛穴１４ａ，１４ｂにテーパー毛束１５ａや非テーパー毛束１５ｂが植設されることにより、複数（本実施形態では、６箇所）の非テーパー毛束１５ｂが、一又は複数（本実施形態では中央の列の中央の１箇所）のテーパー毛束１５ａの周囲を囲むようにして隣接して配置されていることになる。複数の非テーパー毛束１５ｂが、一又は複数のテーパー毛束１５ａの周囲を囲むようにして隣接して配置されていることにより、歯ブラシ１０をどのような方向に動かしても、テーパー毛束１５ａが撓み過ぎることがないため、テーパーブリッスル１６ａを歯のすき間に効率良く届かせることが可能になる。
【００２８】
さらに、本実施形態では、テーパー毛束１５ａと非テーパー毛束１５ｂとが混在する部分である中間部植毛領域１７ｂにおいて、テーパー毛束１５ａよりも非テーパー毛束１５ｂの方が数多く植設されている。これによって、非テーパー毛束１５ｂを、支持毛束として機能させる際に、テーパー毛束１５ａをより一層支え易くなり、テーパー毛束１５ａのテーパーブリッスル１６ａが撓み過ぎるのを、より効果的に抑制して、歯の表面の細かい凹凸溝や歯の隙間を、テーパーブリッスル１６ａの毛先部分によって効率良く刷掃することが可能になる。
【００２９】
本実施形態では、後端側植毛領域１７ｃに形成された１２箇所のテーパー植毛穴１４ａには、例えばポリブチレンテレフタレートからなる、根本部における毛径が０．１８ｍｍの太さの４４本のテーパーブリッスル１６ａを束ねて形成されるテーパー毛束１５ａが、例えば９．５ｍｍの毛丈となるように各々植設されていて、後端部テーパー毛束群１８ｃを形成している。これによって後端側植毛領域１７ｃの後端部テーパー毛束群１８ｃのテーパー毛束１５ａを形成するテーパーブリッスル１６ａの毛丈は、好ましくは上述の中間部植毛領域１７ｂの非テーパー毛束１５ｂを形成する非テーパーブリッスル１６ｂの毛丈よりも、好ましくは１．０〜２．５ｍｍ高くなっている。
【００３０】
また、本実施形態では、好ましくは植毛台１１の厚さと、テーパー毛束１５ａを形成するテーパーブリッスル１６ａの毛丈とを加えた最大高さが、１０〜１６ｍｍとなっている。植毛台１１ａの厚さとテーパーブリッスル１６ａの毛丈とを加えた最大高さが１０〜１６ｍｍとなっていることにより、奥歯の頬側に歯ブラシ１０の植毛台１１をスムーズに差し込んだり、奥歯の奥側に植毛台１１の植設されたテーパー毛束１５ａを楽に届かせたりすることが可能になる。  
【００３１】
そして、上述の構成を備える本実施形態の歯ブラシ１０によれば、歯の表面や隙間を効果的に刷掃する効果を保持しつつ、凹凸の大きい部分の歯の隙間も効果的に刷掃することが可能になる。
【００３２】
すなわち、本実施形態によれば、先端側植毛領域１７ａの長手方向Ｘ後端側の少なくとも中間部植毛領域１７ｂとして、中間部植毛領域１７ｂには、複数本の非テーパーブリッスル１６ｂを束ねてなる複数束の非テーパー毛束１５ｂが、テーパー毛束１５ａと混在して植設されているので、非テーパー毛束１５ｂを支持毛束として機能させて、テーパー毛束のテーパーブリッスル１６ａが撓み過ぎるのを、周囲の好ましく先端に球状部を備える非テーパーブリッスル１６ｂよって支持することにより抑制して、歯の表面の細かい凹凸溝や歯の隙間を、テーパーブリッスル１６ａの毛先部分によって効果的に刷掃することが可能になる。
【００３３】
特に、本実施形態では、中間部植毛領域１７ｂにおいて、非テーパー毛束１５ｂを形成する非テーパーブリッスル１６ｂの毛丈が、テーパー毛束１５ａを形成するテーパーブリッスル１６ａの毛丈よりも低くなっているので、テーパー毛束のテーパーブリッスル１６ａを非テーパーブリッスル１６ｂよって支持しつつ、歯の表面の細かい凹凸溝や歯の隙間にテーパーブリッスル１６ａの毛先部分を十分に届かせて、刷掃効果を向上させることが可能になる。
【００３４】
また、本実施形態によれば、先端側植毛領域１７ａには、先端に向かって断面積を減少させたテーパー形状部分を備える複数本のテーパーブリッスル１６ａを束ねてなる、複数束のテーパー毛束１５ａのみによる先端部テーパー毛束群１８ａが植設されているので、これらのテーパーブリッスル１６ａの毛先部分を、他のブリッスルに邪魔されることなく、凹凸の大きい部分の歯の隙間にも十分に届かせて、これらの凹凸の大きい部分の歯の隙間も効果的に刷掃することが可能になる。
【００３５】
特に、本実施形態では、先端部テーパー毛束群１８ａのテーパー毛束１５ａを形成するテーパーブリッスル１６ａの毛丈が、中間部植毛領域１７ｂにおける非テーパー毛束１５ｂを形成する非テーパーブリッスル１６ｂの毛丈よりも、高くなっているので、テーパーブリッスル１６ａの毛先部分を、凹凸の大きい部分の歯の隙間により一層に届かせ易くして、これらの凹凸の大きい部分の歯の隙間をより効果的に刷掃することが可能になる。
【００３６】
さらに、本実施形態によれば、後端側植毛領域１７ｃには、複数束のテーパー毛束１５ａのみによる後端部テーパー毛束群１８ｃが植設されているので、歯ブラシ１０の植毛台１１の後端側を使って、歯並びが悪く凹凸の大きい部分の歯の隙間を効果的に刷掃することが可能になる。特に、後端部テーパー毛束群１８ｃのテーパー毛束１５ａを形成するテーパーブリッスル１６ａの毛丈が、中間部植毛領域１７ｂにおける非テーパー毛束１５ｂを形成する非テーパーブリッスル１６ｂの毛丈よりも、高くなっているので、後端部テーパー毛束群１８ｃのテーパーブリッスル１６ａの毛先部分を、他のブリッスルに邪魔されることなく、凹凸の大きい部分の歯の隙間にも十分に届かせて、これらの凹凸の大きい部分の歯の隙間も、後端部テーパー毛束群１８ｃによって効果的に刷掃することが可能になる。
【００３７】
さらにまた、先端側植毛領域１７ａ、中間部植毛領域１７ｂ、後端側植毛領域１７ｃの何れの領域にも、テーパーブリッスル１６ａを束ねてなるテーパー毛束１５ａが植設されているので、歯の隙間へのフィット性や追従性を向上させて、歯の隙間を一層良好に刷掃することが可能になる。
【００３８】
また、本実施形態によれば、上述のように、歯ブラシ本体１３の植毛台１１の植毛面１１ａが、好ましくは把持部１３ａとの間に斜めに延設する首部１２を介在させて、把持部１３ａの中心軸と平行に延設するように形成されており、歯ブラシ本体１３の首部１２は、相当の長さを有するように形成されている。これによって、歯ブラシ１０を立てた状態で、植毛台１１に植設された毛束１５ａ，１５ｂを凹凸の大きい歯に押し当てて、縦磨きによって刷掃する際に、毛束１５ａ，１５ｂの先端によるブラシ面を歯の表面に広い面積で接触させ易くして、操作性を向上させると共に、手や指で把持される把持部１３ａと下顎や唇との間に、手や指がこれらの下顎や唇に当たらないようにする空間を確保して、縦磨きする際の歯ブラシ１０の扱い易さを、さらに向上させることが可能になる。
【００３９】
図２（ａ）、（ｂ）は、本発明の好ましい他の実施形態に係る歯ブラシ２０を例示するものである。なお、図２（ａ）、（ｂ）に示す他の実施形態の歯ブラシ２０に関して、上記実施形態の歯ブラシ１０と異なる構成部分について主として説明し、同様の構成部分については同一の符号を付して説明を省略している。特に言及しない構成部分については、上記実施形態の歯ブラシ１０に関する説明が適宜適用される。図２（ａ）、（ｂ）に示す他の実施形態の歯ブラシ２０では、植毛台１１の植毛面１１ａの先端側植毛領域１７ａに、テーパー毛束１５ａのみが６箇所に植設されていて、先端部テーパー毛束群１８ａを形成しており、中間部植毛領域１７ａに、７箇所のテーパー毛束１５ａと１２箇所の非テーパー毛束１５ｂとが混在して植設されていて、中間部テーパー毛束群１８ｂを形成している。植毛台１１の植毛面１１ａの後端側植毛領域１７ｃには、テーパー毛束１５ａのみが６箇所に植設されていて、後端部テーパー毛束群１８ａを形成している。
【００４０】
また、図２（ａ）、（ｂ）に示す他の実施形態の歯ブラシ２０では、植毛台１１ａは、平面視して、長手方向Ｘ先端側に向けて横幅方向Ｙの幅を狭めた先細の形状を有しており、長手方向の先端部は、平面視して２．５〜４ｍｍの曲率半径で湾曲する湾曲形状を備えている。図１（ａ）〜（ｃ）に示す歯ブラシ２０と同様に、植毛台１１ａは、好ましくは長手方向Ｘと垂直な横幅方向Ｙの最大幅が、９〜１２ｍｍとなるように形成されており、好ましくは植毛台１１の厚さと、テーパー毛束１５ａを形成するテーパーブリッスル１６ａの毛丈とを加えた最大高さが、１０〜１６ｍｍとなっている。
【００４１】
図２（ａ）、（ｂ）に示す他の実施形態の歯ブラシ２０によっても、先端側植毛領域１７ａに、複数束のテーパー毛束１５ａ（２重丸参照）のみによる先端部テーパー毛束群１８ａが植設されており、中間部植毛領域１７ｂに、複数束のテーパー毛束１５ａと複数束の非テーパー毛束１５ｂとが混在して植設されているので、上記の実施形態の歯ブラシ１０と同様の作用効果が奏される他、植毛台１１ａの長手方向Ｘの先端部が、平面視して２．５〜４ｍｍの曲率半径で湾曲する湾曲形状を備えているので、植毛台１１ａの長手方向Ｘの先端部がよりスリムになり、歯並びが悪い部分の狭い凹部にも一層毛先を届かせやすくすることが可能になる。長手方向Ｘと垂直な横幅方向Ｙの最大幅が、９〜１２ｍｍとなっており、植毛台１１の厚さとテーパーブリッスル１６ａの毛丈とを加えた最大高さが、１０〜１６ｍｍとなっていることにより、これらの組み合わせによって、植毛台１１の口腔内における使い易さを一層向上させることが可能になる。
【００４２】
なお、本発明は上記の各実施形態に限定されることなく種々の変更が可能である。例えば中間部植毛領域において、中央列の１箇所のみのテーパー毛束の周囲を囲むようにして隣接して、複数の非テーパー毛束を配置する必要は必ずしもなく、図３（ａ）、（ｂ）に示すように、中央列の以外の列に２箇所に設けられたテーパー毛束の各々の周囲を囲むようにして隣接して、複数の非テーパー毛束を配置することもでき（図３（ａ）参照）、２箇所（複数）のテーパー毛束１５ａの周囲を纏めて囲むようにして、複数の非テーパー毛束を隣接して配置することもできる（図３（ｂ）参照）。
【００４３】
また、後端側植毛領域に、複数束のテーパー毛束のみによる後端部テーパー毛束群を植設する必要は必ずしも無く、図４（ａ）〜（ｄ）に示すように、先端側植毛領域よりも後端側の少なくとも中間部植毛領域として、中間部植毛領域及び後端側植毛領域の双方に、複数束のテーパー毛束と複数束の非テーパー毛束とを混在して植設することもできる。
【符号の説明】
【００４４】
１０，２０  歯ブラシ
１１  植毛台
１１ａ  植毛面
１２  首部
１３  歯ブラシ本体
１３ａ  把持部
１４ａ  テーパー植毛穴
１４ｂ  非テーパー植毛穴
１５ａ  テーパー毛束
１５ｂ  非テーパー毛束
１６ａ  テーパーブリッスル
１６ｂ  非テーパーブリッスル
１７ａ  先端側植毛領域
１７ｂ  中間部植毛領域
１７ｃ  後端側植毛領域
１８ａ  先端部テーパー毛束群
１８ｂ  中間部テーパー毛束群
１８ｃ  後端部テーパー毛束群
Ｘ    植毛台の長手方向
Ｙ    植毛台の横幅方向
【図１】
2020198989.tif 000003
【図２】
2020198989.tif 000004
【図３】
2020198989.tif 000005
【図４】
2020198989.tif 000006